【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
画像を符号化すると共に、前記画像を分割した量子化パラメータの管理単位である量子化符号化ブロック単位で差分量子化パラメータを符号化する画像符号化装置であって、
符号化対象の量子化符号化ブロックの量子化パラメータを導出する量子化パラメータ導出部と、
前記符号化対象の量子化符号化ブロックに対して符号化順で先行する２つの量子化符号化ブロックの量子化パラメータを用いて予測量子化パラメータを導出する予測量子化パラメータ導出部と、
前記符号化対象の量子化符号化ブロックの量子化パラメータと前記予測量子化パラメータとの差分により前記符号化対象の量子化符号化ブロックの差分量子化パラメータを導出する差分量子化パラメータ導出部と、
前記差分量子化パラメータを符号化する符号化部と
を備え、
前記予測量子化パラメータ導出部は、前記符号化対象の量子化符号化ブロックに対して符号化順で直前とそれに先行する量子化符号化ブロックの２つの量子化パラメータを用いて前記予測量子化パラメータを導出する、
ことを特徴とする画像符号化装置。
【請求項２】
画像を符号化すると共に、前記画像を分割した量子化パラメータの管理単位である量子化符号化ブロック単位で差分量子化パラメータを符号化する画像符号化方法であって、
符号化対象の量子化符号化ブロックの量子化パラメータを導出する量子化パラメータ導出ステップと、
前記符号化対象の量子化符号化ブロックに対して符号化順で先行する２つの量子化符号化ブロックの量子化パラメータを用いて予測量子化パラメータを導出する予測量子化パラメータ導出ステップと、
前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、
前記差分量子化パラメータを符号化する符号化ステップと
を備え、
前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出する、
ことを特徴とする画像符号化方法。
【請求項３】
画像を符号化すると共に、前記画像を分割した量子化パラメータの管理単位である量子化符号化ブロック単位で差分量子化パラメータを符号化する画像符号化プログラムであって、
符号化対象の量子化符号化ブロックの量子化パラメータを導出する量子化パラメータ導出ステップと、
前記符号化対象の量子化符号化ブロックに対して符号化順で先行する２つの量子化符号化ブロックの量子化パラメータを用いて予測量子化パラメータを導出する予測量子化パラメータ導出ステップと、
前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、
前記差分量子化パラメータを符号化する符号化ステップと
をコンピュータに実行させ、
前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出する、
ことを特徴とする画像符号化プログラム。
【請求項４】
画像を分割した量子化パラメータの管理単位である量子化符号化ブロック単位で差分量子化パラメータを前記画像と共に符号化する画像符号化方法により符号化されたビットストリームをパケット化して符号化ストリームを得るパケット処理部と、
パケット化された前記符号化ストリームを送信する送信部と
を備え、
前記画像符号化方法は、
符号化対象の量子化符号化ブロックの量子化パラメータを導出する量子化パラメータ導出ステップと、
前記符号化対象の量子化符号化ブロックに対して符号化順で先行する２つの量子化符号化ブロックの量子化パラメータを用いて予測量子化パラメータを導出する予測量子化パラメータ導出ステップと、
前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、
前記差分量子化パラメータを符号化する符号化ステップと
を備え、
前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出する、
ことを特徴とする送信装置。
【請求項５】
画像を分割した量子化パラメータの管理単位である量子化符号化ブロック単位で差分量子化パラメータを前記画像と共に符号化する画像符号化方法により符号化されたビットストリームをパケット化して符号化ストリームを得るパケット処理ステップと、
パケット化された前記符号化ストリームを送信する送信ステップと
を備え、
前記画像符号化方法は、
符号化対象の量子化符号化ブロックの量子化パラメータを導出する量子化パラメータ導出ステップと、
前記符号化対象の量子化符号化ブロックに対して符号化順で先行する２つの量子化符号化ブロックの量子化パラメータを用いて予測量子化パラメータを導出する予測量子化パラメータ導出ステップと、
前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、
前記差分量子化パラメータを符号化する符号化ステップと
を備え、
前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出する、
ことを特徴とする送信方法。
【請求項６】
画像を分割した量子化パラメータの管理単位である量子化符号化ブロック単位で差分量子化パラメータを前記画像と共に符号化する画像符号化方法により符号化されたビットストリームをパケット化して符号化ストリームを得るパケット処理ステップと、
パケット化された前記符号化ストリームを送信する送信部ステップと
をコンピュータに実行させ、
前記画像符号化方法は、
符号化対象の量子化符号化ブロックの量子化パラメータを導出する量子化パラメータ導出ステップと、
前記符号化対象の量子化符号化ブロックに対して符号化順で先行する２つの量子化符号化ブロックの量子化パラメータを用いて予測量子化パラメータを導出する予測量子化パラメータ導出ステップと、
前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、
前記差分量子化パラメータを符号化する符号化ステップと
を備え、
前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出する、
ことを特徴とする送信プログラム。
【手続補正２】
【補正対象書類名】明細書
【補正対象項目名】０００８
【補正方法】変更
【補正の内容】
【０００８】
画像を符号化すると共に、前記画像を分割した量子化パラメータの管理単位である量子化符号化ブロック単位で差分量子化パラメータを符号化する画像符号化装置であって、符号化対象の量子化符号化ブロックの量子化パラメータを導出する量子化パラメータ導出部と、前記符号化対象の量子化符号化ブロックに対して符号化順で先行する２つの量子化符号化ブロックの量子化パラメータを用いて予測量子化パラメータを導出する予測量子化パラメータ導出部と、前記符号化対象の量子化符号化ブロックの量子化パラメータと前記予測量子化パラメータとの差分により前記符号化対象の量子化符号化ブロックの差分量子化パラメータを導出する差分量子化パラメータ導出部と、前記差分量子化パラメータを符号化する符号化部とを備え、前記予測量子化パラメータ導出部は、前記符号化対象の量子化符号化ブロックに対して符号化順で直前とそれに先行する量子化符号化ブロックの２つの量子化パラメータを用いて前記予測量子化パラメータを導出することを特徴とする画像符号化装置を提供する。
画像を符号化すると共に、前記画像を分割した量子化パラメータの管理単位である量子化符号化ブロック単位で差分量子化パラメータを符号化する画像符号化方法であって、符号化対象の量子化符号化ブロックの量子化パラメータを導出する量子化パラメータ導出ステップと、前記符号化対象の量子化符号化ブロックに対して符号化順で先行する２つの量子化符号化ブロックの量子化パラメータを用いて予測量子化パラメータを導出する予測量子化パラメータ導出ステップと、前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、前記差分量子化パラメータを符号化する符号化ステップとを備え、前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出することを特徴とする画像符号化方法を提供する。
画像を符号化すると共に、前記画像を分割した量子化パラメータの管理単位である量子化符号化ブロック単位で差分量子化パラメータを符号化する画像符号化プログラムであって、符号化対象の量子化符号化ブロックの量子化パラメータを導出する量子化パラメータ導出ステップと、前記符号化対象の量子化符号化ブロックに対して符号化順で先行する２つの量子化符号化ブロックの量子化パラメータを用いて予測量子化パラメータを導出する予測量子化パラメータ導出ステップと、前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、前記差分量子化パラメータを符号化する符号化ステップとをコンピュータに実行させ、前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出することを特徴とする画像符号化プログラムを提供する。
画像を分割した量子化パラメータの管理単位である量子化符号化ブロック単位で差分量子化パラメータを前記画像と共に符号化する画像符号化方法により符号化されたビットストリームをパケット化して符号化ストリームを得るパケット処理部と、パケット化された前記符号化ストリームを送信する送信部とを備え、前記画像符号化方法は、符号化対象の量子化符号化ブロックの量子化パラメータを導出する量子化パラメータ導出ステップと、前記符号化対象の量子化符号化ブロックに対して符号化順で先行する２つの量子化符号化ブロックの量子化パラメータを用いて予測量子化パラメータを導出する予測量子化パラメータ導出ステップと、前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、前記差分量子化パラメータを符号化する符号化ステップとを備え、前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出することを特徴とする送信装置を提供する。
画像を分割した量子化パラメータの管理単位である量子化符号化ブロック単位で差分量子化パラメータを前記画像と共に符号化する画像符号化方法により符号化されたビットストリームをパケット化して符号化ストリームを得るパケット処理ステップと、パケット化された前記符号化ストリームを送信する送信ステップとを備え、前記画像符号化方法は、符号化対象の量子化符号化ブロックの量子化パラメータを導出する量子化パラメータ導出ステップと、前記符号化対象の量子化符号化ブロックに対して符号化順で先行する２つの量子化符号化ブロックの量子化パラメータを用いて予測量子化パラメータを導出する予測量子化パラメータ導出ステップと、前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、
前記差分量子化パラメータを符号化する符号化ステップとを備え、前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出することを特徴とする送信方法を提供する。
画像を分割した量子化パラメータの管理単位である量子化符号化ブロック単位で差分量子化パラメータを前記画像と共に符号化する画像符号化方法により符号化されたビットストリームをパケット化して符号化ストリームを得るパケット処理ステップと、パケット化された前記符号化ストリームを送信する送信部ステップとをコンピュータに実行させ、前記画像符号化方法は、符号化対象の量子化符号化ブロックの量子化パラメータを導出する量子化パラメータ導出ステップと、前記符号化対象の量子化符号化ブロックに対して符号化順で先行する２つの量子化符号化ブロックの量子化パラメータを用いて予測量子化パラメータを導出する予測量子化パラメータ導出ステップと、前記符号化対象の量子化符号化ブロックの量子化パラメータと前記予測量子化パラメータとの差分により前記符号化対象の量子化符号化ブロックの差分量子化パラメータを導出する差分量子化パラメータ導出ステップと、前記差分量子化パラメータを符号化する符号化ステップとを備え、前記予測量子化パラメータ導出ステップは、前記符号化対象の量子化符号化ブロックに対して符号化順で直前とそれに先行する量子化符号化ブロックの２つの量子化パラメータを用いて前記予測量子化パラメータを導出することを特徴とする送信プログラムを提供する。
【手続補正３】
【補正対象書類名】明細書
【補正対象項目名】０００９
【補正方法】削除
【補正の内容】